(57)【要約】【課題】  嵩張ることなく、携帯に便利なペット用簡易トイレを提供すること。【解決手段】  四角形のシートの各角部において、該角部４ｂを２つ折りした場合の相対向する面に係合手段５ａ，５ａをそれぞれ配設し、該係合手段５ａ，５ａを互いに係合させることによってシートの底壁２ａに対して周縁部を起立させ、トイレ本体２の側壁２ｂを形成するようにしたペット用簡易トイレ１とした。【選択図】        図１
0003101716.tif 000002
【実用新案登録請求の範囲】
【請求項１】
柔軟なシートによって、トイレ本体の底壁と側壁とを一体にして皿状に形成したことを特徴とする、ペット用簡易トイレ。
【請求項２】
上記柔軟なシートが多角形のシートであって、その各角部において、該角部を２つ折りにした場合の相対向する面に係合手段をそれぞれ配設し、該係合手段を互いに係合させることによって、シートの底壁に対して周縁部を起立させ、上記トイレ本体の側壁を形成するようにしたことを特徴とする、請求項１に記載のペット用簡易トイレ。
【請求項３】
上記係合手段がホックであることを特徴とする、請求項２に記載のペット用簡易トイレ。
【請求項４】
上記トイレ本体の角部に補強シートを添設したことを特徴とする、請求項２又は３に記載のペット用簡易トイレ。
【請求項５】
上記トイレ本体の周縁端部を覆う縁部材を添設したことを特徴とする、請求項１〜４のいずれかに記載のペット用簡易トイレ。
【請求項６】
上記トイレ本体の底壁と側壁との境界を挟んで該境界付近を互いに接合したことを特徴とする、請求項１〜５のいずれかに記載のペット用簡易トイレ。
【請求項７】
上記側壁の境界付近をさらに外方へ折り返し、その折り返し部分を底壁と側壁の前記境界付近と共に接合したことを特徴とする、請求項６に記載のペット用簡易トイレ。
【請求項８】
上記境界の一部において、上記底壁と側壁を覆うようにして当て部材を添設したことを特徴とする、請求項６又は７に記載のペット用簡易トイレ。
【請求項９】
上記底壁に敷く吸水シートをさらに備えたことを特徴とする、請求項１〜８のいずれかに記載のペット用簡易トイレ。
【請求項１０】
上記吸水シートの角部を、上記ホックを互いに係合させる際にホック間に挟み込んで、該吸水シートをトイレ本体に係止することを特徴とする、請求項９に記載のペット用簡易トイレ。
【請求項１１】
上記トイレ本体の底壁上面に、上記吸水シートに対する滑り止め部材を配設したことを特徴とする、請求項９又は１０に記載のペット用簡易トイレ。
【請求項１２】
上記トイレ本体の底壁下面に、該トレイ本体載置面に対する滑り止め部材を配設したことを特徴とする、請求項１〜１１のいずれかに記載のペット用簡易トイレ。
【請求項１３】
上記トイレ本体を織物によって形成すると共に、少なくともその上面に防水コーティングを施したことを特徴とする、請求項１〜１２のいずれかに記載のペット用簡易トイレ。
【請求項１４】
上記トイレ本体を収容する袋を備えたことを特徴とする、請求項１〜１３のいずれかに記載のペット用簡易トイレ。
【請求項１５】
上記袋にポケットを配設したことを特徴とする、請求項１４に記載のペット用簡易トイレ。
【考案の詳細な説明】
【技術分野】
【０００１】
本考案は、ペット用簡易トイレに関するもので、更に詳しくは、犬、猫等の小型４つ足動物に適したペット用簡易トイレに関するものである。
【背景技術】
【０００２】
犬、猫等の小型４つ足動物が排泄後、そのまま排泄物と共に捨てることができるペット用簡易トイレはある（例えば、特許文献１参照）。
【０００３】
【特許文献１】特開平８−６６１３５号公報（図１，図２）
【考案の開示】
【考案が解決しようとする課題】
【０００４】
ところが、上記特許文献１に開示されているペット用簡易トイレは、トイレ本体を、厚手のダンボール紙によって箱状に形成している。
そのため、このペット用簡易トイレは、凹凸のある面、例えば野原、自動車内の座席等に置いた場合には、安定せず、ガタつく憂いがあるために排尿等のしずらいものであった。また、嵩張り、携帯には適していないものであった。
【０００５】
そこで、本考案は、上記実情に鑑みて、凹凸のある面上にも安定的に置くことができ、しかも嵩張ることなく、携帯に便利なペット用簡易トイレを提供することを課題とする。
【課題を解決するための手段】
【０００６】
上記した課題を解決するため、請求項１のペット用簡易トイレでは、柔軟なシートによって、トイレ本体の底壁と側壁とを一体にして皿状に形成したことを特徴としている。
ここで、上記シートの材料は、柔軟で、靭性に富んだ材料であれば良い。また、形状は、円形、三角形、四角形、その他の多角形等、その形状は何ら限定されない。さらに、側壁は柔軟なシートによって底壁と一体に形成されているため、必ずしも起立していない部分があっても良い。
【０００７】
請求項２のペット用簡易トイレでは、上記請求項１の考案において、上記柔軟なシートが多角形のシートであって、その各角部において、該角部を２つ折りにした場合の相対向する面に係合手段をそれぞれ配設し、該係合手段を互いに係合させることによってシートの底壁に対して周縁部を起立させ、上記トイレ本体の側壁を形成するようにしたことを特徴としている。
ここで、上記多角形のシートとは、三角形、四角形、五角形等の三角形以上の角形シートをいい、また、上記係合手段としては、ホック、面ファスナー等が挙げられる。
【０００８】
請求項３のペット用簡易トイレでは、上記請求項２の考案において、上記係合手段がホックであることを特徴としている。
【０００９】
請求項４のペット用簡易トイレでは、上記請求項２又は３の考案において、上記トイレ本体の角部に補強シートを添設したことを特徴としている。
ここで、上記補強シートは、適宜な剛性を有し、靭性に富み、耐水性を有するものであることが好ましい。また、上記補強シートは、少なくともその一部が縫合、接着等によって添設される。
【００１０】
請求項５のペット用簡易トイレでは、上記請求項１〜４のいずれかの考案において、上記トイレ本体の周縁端部を覆う縁部材を添設したことを特徴としている。
ここで、上記縁部材は、やはり適宜な剛性を有し、靭性に富み、耐磨耗性、耐水性を有するものあることが好ましい。また、上記縁部材は、やはり少なくともその一部が縫合、接着等によって添設される。
【００１１】
請求項６のペット用簡易トイレでは、上記請求項１〜５のいずれかの考案において、上記トイレ本体の底壁と側壁との境界を挟んで該境界付近を互いに接合したことを特徴としている。
ここで、上記接合方法は、縫合、接着剤による接合、或いは融着による接合等が挙げられる。
【００１２】
請求項７のペット用簡易トイレでは、上記請求項６の考案において、上記側壁の境界付近をさらに外方へ折り返し、その折り返し部分を底壁と側壁の前記境界付近と共に接合したことを特徴としている。
ここでも、上記接合方法は、縫合、接着剤による接合、或いは融着による接合等が挙げられる。
【００１３】
請求項８のペット用簡易トイレでは、上記請求項６又は７の考案において、上記境界において、上記底壁と側壁を覆うようにして当て部材を添設したことを特徴としている。
ここで、上記当て部材は、適宜な剛性を有し、靭性に富み、耐磨耗性、耐水性を有するものあることが好ましい。また、上記当て部材は、少なくともその一部が縫合、接着等によって添設される。
【００１４】
請求項９のペット用簡易トイレでは、上記請求項１〜８のいずれかの考案において、上記底壁に敷く吸水シートをさらに備えたことを特徴としている。
ここで、上記吸水シートは、単独又は複数層に形成しものであっても良く、透水性のシートによって、吸水材を封入たものであっても良い。
【００１５】
請求項１０のペット用簡易トイレでは、上記請求項９の考案において、上記吸水シートの角部を、上記ホックを互いに係合させる際にホック間に挟み込んで吸水シートをトイレ本体に係止することを特徴としている。
【００１６】
請求項１１のペット用簡易トイレでは、上記請求項９又は１０の考案において、上記トイレ本体の底壁上面に、上記吸水シートに対する滑り止め部材を配設したことを特徴としている。
ここで、上記滑り止め部材は、トレイ本体の底壁全体又は部分的に配設される。
【００１７】
請求項１２のペット用簡易トイレでは、上記請求項１〜１１のいずれかの考案において、上記トイレ本体の底壁下面に、該トレイ本体載置面に対する滑り止め部材を配設したことを特徴としている。
ここでも、上記滑り止め部材は、トレイ本体の底壁全体又は部分的に配設される。
【００１８】
請求項１３のペット用簡易トイレでは、上記請求項１〜１２のいずれかの考案において、上記トイレ本体のシートを織物によって形成すると共に、少なくともその上面に防水コーティングを施したことを特徴としている。
【００１９】
請求項１４のペット用簡易トイレでは、上記請求項１〜１３のいずれかの考案において、上記トイレ本体を収容する袋を備えたことを特徴としている。
ここで、上記袋の大きさは、トレイ本体を折り畳んだ大きさより僅かに大きければ良く、また、その材質、形状等は何ら限定されない。
【００２０】
請求項１５のペット用簡易トイレでは、上記請求項１４の考案において、上記袋にポケットを配設したことを特徴としている。
【考案の効果】
【００２１】
上記した請求項１のペット用簡易トイレによれば、トイレ本体が柔軟なシートによって形成されているので、凹凸のある面上にも安定的に置くことができ、また、任意の形に折り畳んだり巻くことができるため、収納する際に嵩張ることがなく、携帯に便利なものとなる。
【００２２】
上記した請求項２のペット用簡易トイレによれば、使用しない状態においては、トイレ本体を係合手段を外すことにより平面状にできるので、折り畳んだり巻いたりした場合に、よりコンパクトになる。
【００２３】
請求項３のペット用簡易トイレによれば、係合手段がホックであるので、係合が簡単であると共に、強固に結合できる。
【００２４】
請求項４のペット用簡易トイレによれば、トイレ本体の角部が補強されるので、トイレ本体の角部の剛性が増し、係合手段を強固に装着できると共に、側壁が形成されやすくなる。
【００２５】
請求項５のペット用簡易トイレによれば、縁部材によって側壁端部の剛性が増すので、側壁の形状が維持される。
【００２６】
請求項６のペット用簡易トイレによれば、底壁と側壁との境界付近が互いに接合されているので、トイレ本体の底壁と側壁との境界が確実に形成される。
【００２７】
請求項７のペット用簡易トイレによれば、側壁が境界付近においてさらに外方へ折り返され、その折り返し部分が、底壁と側壁の前記境界付近と共に接合されているので、側壁が確実に起立される。
【００２８】
請求項８のペット用簡易トイレによれば、底壁と側壁の前記境界付近が当て部材によって覆われているので、折り曲げ部の強度を高めることができる。
【００２９】
請求項９のペット用簡易トイレによれば、吸水シートによて尿を確実に捕集することができる。
【００３０】
請求項１０のペット用簡易トイレによれば、吸水シートの角部がホック間に挟持されるので、吸水シートがずれることなくトイレ本体に保持され、また吸水シートの周縁端をトイレ本体の側壁に沿わせて起立させることができる。
【００３１】
請求項１１のペット用簡易トイレによれば、滑り止め部材によって、ペットが吸水シート上で動いても、吸水シートが移動する虞がない。
【００３２】
請求項１２のペット用簡易トイレによれば、滑り止め部材によって、ペットがトレイ本体内で動いても、トレイ本体が移動する虞がない。
【００３３】
請求項１３のペット用簡易トイレによれば、トイレ本体が織物によって形成されているので、トイレ本体の強度が得られ、少なくともその上面に防水コーティングが施されているので、尿のトイレ本体からの漏洩が防止される。
【００３４】
請求項１４のペット用簡易トイレによれば、トイレ本体を袋に収容して携帯することができるので、トレイ本体の携帯が容易になる。
【００３５】
請求項１５のペット用簡易トイレによれば、ポケットに替え用吸水シート等を収容できるので、長時間に渡る携帯に便利なペット用簡易トイレとなる。
【考案を実施するための最良の形態】
【００３６】
以下、上記した本考案に係るペット用簡易トイレの好適な実施の形態を、図面を参照しながら詳細に説明する。
【００３７】
ここで、図１は本考案に係るペット用簡易トイレの好適な実施の形態を示した斜視図、図２は図１のトイレ本体の裏面を示した斜視図、図３は図１に示したトイレ本体におけるＡ部を拡大して示した斜視図、図４は図１に示したトイレ本体におけるＢ−Ｂ線に沿う部分の拡大断面図、図５は図１に示したトイレ本体におけるＣ−Ｃ線に沿う部分の拡大断面図、図６は吸水シートの縁部をトイレ本体の係止手段であるホック間に挟み込んだ状態を示した部分拡大斜視図、図７は折り畳んだ状態のトイレ本体と、該トイレ本体を収容する袋を示した斜視図である。
【００３８】
この実施の形態に係るペット用簡易トイレ１は、トイレ本体２と、該トイレ本体２内に敷く吸水シート３とを備えている。
【００３９】
上記トレイ本体２は、ポリエステルの糸を平織りし、その上下表面にポリ塩化ビニルでコーティングした略四角形のシートによって構成されており、そのシートの周縁を一定幅で折り曲げ、その折り曲げ部４ａにおいて、折り曲げ線に沿って縫合することによって、底壁２ａと４方の側壁２ｂとを画成すると共に、側壁２ｂ，２ｂが会合する角部４ｂにおいて、側壁２ｂ，２ｂの相対向する面に係止手段５としてのホック５ａ，５ａをそれぞれ配設した構成となっている。
【００４０】
また、このトレイ本体２では、図３に示したように、側壁２ｂ，２ｂが会合する角部４ｂに、それらの側壁２ｂ，２ｂに亘って合成皮革等の適宜な剛性をもった補強シート６を添設し、また側壁２ｂの周縁端部全長に亘って帯状の縁部材７を縫合し、角部４ｂおよび側壁２ｂの縁部が補強されている。また、図４に示したように、底壁２ａと側壁２ｂとの折り曲げ部４ａに、帯状の当て部材８を外部から覆い、該当て部材８を縫合し、該折り曲げ部４ａが補強されている。
【００４１】
更に、このトレイ本体２では、各側壁２ｂの中間部において、図５に示したように、上記した折り曲げ部４ａの上部で、側壁２ｂをさらに外側に折り曲げ、その折り曲げ部４ｃの折り曲げ線を境にして、その上部と折り曲げ部４ａを縫合し、側壁２ｂを立ち上げている。
【００４２】
また、このトレイ本体２では、底壁２ａの上面と下面に、図１および図２に示したように、ポリ塩化ビニルによって形成され、表面にシボ面を有する滑り止め部材９，１０がそれぞれ縫合されている。
【００４３】
一方、上記吸水シート３は、図１に示したように、一般的な構成のものであって、不織布等の液体透過性表面シート３ａと、ポリエチレンフィルム等の液体不透過性裏面シート３ｂとの間に、パルプと高分子吸水ポリマー等からなる吸水体３ｃを挟み込んで封入した構成のものである。
【００４４】
また、このペット用簡易トイレ１では、図７に示したように、トイレ本体２を収容する袋１１を備えている。そして、この袋１１には、トイレ本体２が収容される。さらに、袋１１には、ポケット１２が設けられており、このポケット１２には、吸水シート３が収容される。
【００４５】
上記のように構成されたペット用簡易トイレ１は、トイレ本体２の底壁２ａに吸水シート３を載置し、その吸水シート３の角部１３を２つ折りにしてトレイ本体２の角部４ｂに重ね合わせ、その状態でホック５ａ，５ａを互いに係合させ、図６に示したように、吸水シート３の角部１３をホック５ａ，５ａ間に挟持させる。
これにより、トイレ本体２は、図１に示したように、側壁２ｂが立った状態となると共に、吸水シート３の周端縁が、該側壁２ｂに沿った状態で起立する。
【００４６】
この状態で、ペットの排尿等が行われると、排尿は、トイレ本体２に装着された上記吸水シート３の吸水体３ｃに捕捉されると共に、吸水シート３に当たって跳ね返った排尿等は、立った状態にあるトイレ本体２の側壁２ｂ、及び該側壁２ｂに沿って起立する吸水シート３の周端縁に捕捉される。また、吸水シート３に捕捉されずに流れ出た排尿等があっても、該トイレ本体２は、立った側壁２ｂを有する皿状のものであるため、流れ出た排尿等を留め置くことが可能であり、周囲を汚損することはない。
【００４７】
使用後は、吸水シート３を廃棄し、図７に示したように、トイレ本体２を畳んで、袋１１に収容することにより、嵩張らず、簡易に携帯できるものとなる。
【００４８】
以上、本考案に係るペット用簡易トイレの好適な実施の形態を説明したが、本考案は、既述の実施の形態に限定されず、実用新案登録請求の範囲に記載した本考案の技術的思想の範囲内において、種々の変形及び変更が可能であることは当然である。
【図面の簡単な説明】
【００４９】
【図１】本考案に係るペット用簡易トイレの好適な実施の形態を示した斜視図である。
【図２】図１のペット用簡易トイレの裏面を示した斜視図である。
【図３】図１に示したペット用簡易トイレにおけるＡ部を拡大して示した斜視図である。
【図４】図１に示したペット用簡易トイレにおけるＢ−Ｂ線に沿う部分の断面図である。
【図５】図１に示したペット用簡易トイレにおけるＣ−Ｃ線に沿う部分の断面図である。
【図６】吸水シートの縁部を、トイレ本体の係止手段であるホック間に挟み込んだ状態を示した部分拡大斜視図である。
【図７】折り畳んだ状態のトイレ本体と、該トイレ本体を収容する袋を示した斜視図である。
【符号の説明】
【００５０】
１    ペット用簡易トイレ
２    トイレ本体
２ａ  底壁
２ｂ  側壁
３    吸水シート
３ａ  液体透過性表面シート
３ｂ  液体不透過性裏面シート
３ｃ  吸水体
３ｂ  吸水シート
３ｃ  吸水シート
４ａ  折り曲げ部
４ｂ  角部
４ｃ  折り曲げ部
５ａ  ホック
６    補強シート
７    縁部材
８    当て部材
９，１０  滑り止め部材
１１  袋
１２  ポケット
１３  吸水シートの角部
【図１】
0003101716.tif 000003
【図２】
0003101716.tif 000004
【図３】
0003101716.tif 000005
【図４】
0003101716.tif 000006
【図５】
0003101716.tif 000007
【図６】
0003101716.tif 000008
【図７】
0003101716.tif 000009